(57)【特許請求の範囲】
【請求項１】
壁パネルの長手方向が横方向に配置されると共に該長手方向に壁パネルを連続させて建物躯体に取付けられる取付構造に於いて、該躯体に縦方向に単数の下地材が固定され、壁パネルの重量を支持する水平片とそれに直交しかつ下地材に当接される位置に穴が設けられた起立片とで形成した受け金具が前記下地材に取付けられており、かつ前記受け金具１つに対して複数の壁パネルが取付られて構成されることを特徴とした横壁パネルの取付構造。
【請求項２】
前記壁パネルの補強筋が内部に存在しない部分の隅角部が前記受け金具の水平片に非接触となるように構成されることを特徴とした請求項１の横壁パネルの取付構造。
【請求項３】
前記受け金具の起立片の上下方向に複数の穴が設けられて構成されることを特徴とした請求項１或いは請求項２の横壁パネルの取付構造。
【発明の詳細な説明】
【０００１】
【発明の属する技術分野】
本発明はプレキャストコンクリート板、軽量気泡コンクリート板（ＡＬＣ）等の壁パネルを柱等の構造躯体に取付ける構造に係り、特に壁パネルの重量を支持する水平片とそれに直交する起立片とよりなる受け金具を用いて、横方向に配置された壁パネルを構造躯体に取付ける取付構造に関するものである。
【０００２】
【従来の技術】
従来のこの種の壁パネルの取付構造としては、例えば図９（Ａ），（Ｂ）及び特開平５−２９５８２３号公報或いは図１０に示す構造のものが知られている。
【０００３】
即ち、図９（Ａ），（Ｂ）に示す壁パネルの取付構造は、図に示す如く、断面Ｌ型のアングル状下地材５１を構造躯体であるＨ型柱５２の左右に配置し、ピースアングル５３を介してＨ型柱５２の両側に取付固定し、これ等の下地材５１に、壁パネル５４の所定枚数毎に重量受け金具５５を設け、この受け金具５５に壁パネル５４を載置し、かつ壁パネル５４の所定位置に挿通されたフックボルト５６を前記下地材５１に係合することによって、壁パネル５４をＨ型柱５２に取付ける構造である。
【０００４】
また、図１０に示す壁パネルの取付構造は、柱５７の外方フランジ側に断面コ字形の金具５８を突設し、この金具５８の両側にアングル状下地材５９を取付け、これ等の下地材５９に夫々個々に独立した重量受け金具６０を設けるか、或いは壁パネル６１を受ける水平片が左右に分断された１個の重量受け金具６０をそれ等の下地材５９に取付け、壁パネル６１を柱５７に取付ける構造である。
【０００５】
【発明が解決しようとする課題】
然るに、前述の図９（Ａ），（Ｂ）及び図１０に示す取付構造は、いずれも１本の柱５２、５７に対して１ヶ所の取付部で２本の下地材５１，５９を設けなければならないので、材料コストが嵩むと共に、２本の下地材５１，５９を夫々通り良く取付けなければならないので、多大な労力を要する問題があった。
【０００６】
また、前者の図９（Ａ），（Ｂ）に示す取付構造は、２個の重量受け金具５５を用いるために前述の下地材５１の場合と同様に材料コストが嵩むと共に、２個の重量受け金具５５を夫々精度良く取付けなければならないので、多大な労力を要する問題もあった。
【０００７】
更に、後者の図１０に示す取付構造の内の、水平片を左右に分断した重量受け金具６０を使用した場合には、重量受け金具６０が１個で済むと言う利点はあるが、下地材５９は２本必要であり、また所定の間隔を保って配設された２本の下地材５９に渡る長さの重量受け金具６０が必要となり、材料代が嵩む問題があった。
【０００８】
本発明に係る壁パネルの取付構造は、前述の従来の多くの問題点に鑑み開発された全く新しい技術であって、特に水平片と起立片とよりなる受け金具の該起立片の所定位置に穴を設け、この穴を利用して受け金具を下地金物に取付け、かつ該単数の受け金具に複数の壁パネルを取付けるように構成した全く新しい壁パネルの取付構造の技術を提供するものである。
【０００９】
【課題を解決するための手段】
本発明に係る横壁パネルの取付構造は、前述の従来の問題点を根本的に改善する技術であって、その第１発明の要旨は、壁パネルの長手方向が横方向に配置されると共に該長手方向に壁パネルを連続させて建物躯体に取付けられる取付構造に於いて、該躯体に縦方向に単数の下地材が固定され、壁パネルの重量を支持する水平片とそれに直交しかつ下地材に当接される位置に穴が設けられた起立片とで形成した受け金具が前記下地材に取付けられており、かつ前記受け金具１つに対して複数の壁パネルが取付られて構成されることを特徴とした横壁パネルの取付構造である。
【００１０】
前述の第１発明に於いては、水平片と起立片とよりなる受け金具の起立片に穴を設けると共に、この穴が設けられた起立片の所定位置を下地材に当接するようにしたので、この穴を利用することによって受け金具を下地材に溶着固定或いはボルト止め固定することが出来、取付作業を簡単にすることが出来る。
【００１１】
特に、この第１発明に於いては、受け金具の起立片と下地材とを巾広く当接することが出来、受け金具を安定した状態で下地材に取付けることが可能で、取付強度を著しく大きくすることが出来る。また、下地材はアングル材のみならず、安価な平板状のフラットバーを用いることが出来る。
【００１２】
下地材にボルト穴を設けた場合には、このボルト穴と受け金具の起立片の穴とを合致させることによって、両者をボルトを介して簡単かつ正確な位置で連結することが出来る。この場合には溶接作業を全く不要とすることが出来る。
【００１３】
前述の第１発明に於いては、１個の受け金具に対して複数の壁パネルが取付けられて構成されるので、受け金具の数量及び取付ける手間を半減することが出来る。
【００１４】
また、壁パネルを下地材に取付ける際に、壁パネル側のＯボルト固定に使用される平プレートの厚み相当の隙間が該壁パネルと下地材との間に形成されるので、従来はこの隙間部分に隙間充填ライナーを用いていたが、前記第１発明のように起立片を有する受け金具を使用した場合には、この起立片が隙間充填ライナーの役割をするので、隙間充填ライナーを不要とすることが出来る。特に起立片が下方向にも伸びたＴ字形受け金具を使用した場合には、上下の両方の隙間充填ライナーを不要とすることが出来る。
【００１５】
本発明の取付構造の第２発明の要旨は、前記壁パネルの補強筋が内部に存在しない部分の隅角部が前記受け金具の水平片に非接触となるように構成されることを特徴とした第１発明の横壁パネルの取付構造である。
【００１６】
前述の第２発明に於いては、壁パネルの補強筋が内部に存在しない部分の隅角部が前記受け金具の水平片に接触しないように、即ち、壁パネルの補強筋で囲まれた部分を受け金具の水平片で支持するようにしたので、地震時に壁パネルの隅部が欠損することを防止出来る。
【００１７】
特に、下地材に取付けられた受け金具の取付精度が悪い場合でも、比較的強度の弱い壁パネルの隅角部が受け金具の水平片に点接触することがないので、この壁パネルの隅角部に亀裂の発生する恐れが少ない。
【００１８】
本発明の取付構造の第３発明の要旨は、前記受け金具の起立片の上下方向に複数の穴が設けられて構成されることを特徴とした第１発明或いは第２発明の横壁パネルの取付構造である。
【００１９】
前述の第３発明に於いては、前記受け金具の起立片の上下方向に複数の穴が設けられているので、これ等の穴を利用することによって、受け金具を２ヶ所で下地材に取付固定することが出来、これによって下地材を受け金具により強固に取付固定することが出来る。
【００２０】
【発明の実施の形態】
図により本発明に係る壁パネルの取付構造の一実施例を具体的に説明すると、図１（Ａ），（Ｂ）は夫々本発明の取付構造の要部を示す説明図、図２（Ａ），（Ｂ）は夫々図１の取付構造に使用される受け金具の斜視図、図３は図２（Ｂ）の受け金具を使用した取付構造の要部を示す正面図である。
【００２１】
図４は本発明に使用される受け金具の水平片上にライナーを載置した場合の取付構造の要部の説明図、図５（Ａ），（Ｂ）は夫々受け金具とライナーとを示す斜視説明図、図５（Ｃ）は受け金具の起立片の中央部を下方に伸ばすと共に、この起立片に２個の穴を上下方向に設けた状態の斜視説明図である。
【００２２】
図６は本発明に使用される受け金具をボルトを介して下地材に取付ける構造の要部の横断面説明図、図７はその図６の構成の正面図、図８は本発明に使用される受け金具で壁パネルを支持している状態を示す縦断面説明図である。
【００２３】
図１（Ａ），（Ｂ）及び図２（Ａ），（Ｂ）に於いて、１，２は夫々受け金具であって、壁パネル３を受けることが出来る水平片１ａ，２ａとこれに直交する方向に設けられた起立片１ｂ，２ｂより形成されている。また、起立片１ｂ，２ｂのほぼ中央部には夫々穴４が穿設されている。前記受け金具１は断面がＬ型に形成され、かつ受け金具２は断面がＴ字型に形成されている。
【００２４】
本発明に於いては、前述の形状を有する受け金具１，２を用いて下地材にこれを取付けることによって構成されている。図１（Ａ），（Ｂ）に於いて、５は躯体柱であって、この側面にはアングル材或いはピースアングル材６を介して１本のアングル材製の下地材７が上下方向に取付けられている。そして前記受け金具１の起立片１ｂが下地材７の所定位置に当接され、かつ起立片１ｂの穴４の周縁が溶着されて受け金具１は下地材７に取付固定されている。また、その受け金具１の水平片１ａには左右に並列された壁パネル３が夫々載置されている。
【００２５】
図３に示す取付金具は、前述の図２（Ｂ）に示すＴ字型の受け金具２を使用して壁パネル３を支持する構造を示すものであって、特に受け金具２の起立片２ｂの上下方向に設けた２つの穴４の内周縁が夫々下地材７に溶着されている。このように、起立片２ｂの２ヶ所に穴４を設けると共に、これ等の穴４の内周縁を夫々下地材７に溶着した場合には、受け金具２の取付強度を高めることが出来る。
【００２６】
また、図３に示す実施例に於いては、摩擦係数の小さいプレート状のライナー８が、受け金具２の水平片２ａの両端部に夫々摺動自在に載置されており、壁パネル３の下面はこのライナー８に当接されている。従って、壁パネル３の補強筋が存在しない隅角部が水平片２ａに接触しないように構成されている。
【００２７】
図４に示す実施例に於いては、下地材７を平板（ＦＢ）で形成している。この下地材７を躯体柱５に取付けるに当たっては、２種類のアングル材或いはピースアングル材６を使用している。
【００２８】
図５（Ａ），（Ｂ）は夫々受け金具１，２の水平片１ａ，２ａ上に、前述のように摩擦係数の小さいプレート状の２枚のライナー８を水平片１ａ，２ａの左右両側に隙間を設けて配置する状態を示している。
【００２９】
また、図５（Ｃ）に示す受け金具９は、その水平片９ａの中央部が所定の巾で切断されると共に、この切断された部分９ｃが下方に垂直に伸びて、上部の起立片９ｂと一体的に連続されている。この切断された部分９ａにも起立片９ｂと同様にかつ上下に対応する位置に穴４が穿設されている。
【００３０】
図６及び図７に示す実施例に於いては、下地材７の所定位置、即ち、下地材７に当接された受け金具２の起立片２ｂに設けられた穴４と対応する位置に穴が穿設されており、この穴と起立片２ｂの穴４とにボルト１０が挿通され、このボルト１０とナット１１とを介して受け金具２が下地材７に取付固定された構造を示している。
【００３１】
図８に示す実施例は、壁パネル３が受け金具１を介して下地材７に取付けられると共に、壁パネル３と下地材７との間に形成される隙間に隙間充填ライナー１２を介在させる取付構造が縦断面図で示されている。図中、１３は壁パネル３内に埋設された鉄筋、１４はこの鉄筋１３に連結されたＯボルト、１５はこのＯボルト１４に取付けられたプレート、１６はＯボルト１４に螺合されたナットである。
【００３２】
本発明の取付構造に於いては、起立片１ｂ，２ｂを有する受け金具１，２を使用するので、起立片１ｂ，２ｂで壁パネル３と下地材７との隙間を埋めることが出来る。従って、前述の図８の実施例の場合には、受け金具１を使用したので、下方に配置された壁パネル３と下地材７との隙間には隙間充填ライナー１２を必要としたが、受け金具１の代わりに受け金具２を使用した場合には、下方向に延長された起立片２ｂが下方の壁パネル３と下地材７との隙間に介在されるので、隙間充填ライナー１２は不要とすることが出来る。
【００３３】
本発明に係る取付構造に於いては、前述のように水平片１ａ，２ａ，９ａと起立片１ｂ，２ｂ，９ｂとよりなる受け金具１，２，９を使用し、かつこれ等の起立片１ｂ，２ｂ，９ｂ（切断された部分９ｃ）に夫々穴４を設けたので、この穴４を利用することによって、受け金具１，２，９を下地材７の所定位置に簡単、正確、かつ確実に取付けることが出来る。
【００３４】
また、受け金具１，２，９は下地材７に溶接のみならず、ボルト止めによっても取付けることが出来る。更に、受け金具２，９のように穴４を上下方向の２個所に設けた場合には、受け金具２，９を下地材７により強固に取付け固定することが出来る。
【００３５】
【発明の効果】
本発明に係る横壁パネルの取付構造は、前述の構造と作用とを有するので、次のような多大な効果を有している。
【００３６】
前述のように、本発明の取付構造は、穴が設けられた起立片を有する受け金具を用いるので、この穴を中心とした部分の起立片を下地材に巾広く当接し、安定した状態で受け金具を下地材に取付けることが出来る。また、この起立片の穴を利用することによって受け金具を下地材に溶接のみならずボルト止めによっても取付けることが出来る。溶接で取付ける場合には、特に穴の内周下縁を溶接することが出来るので、溶接作業が安定して容易である。
【００３７】
前述のように、躯体と受け金具とに介在される下地材を１本にすることが出来るので、取付の手間及び材料費を半減することが出来る。下地材を平板（ＦＢ）とする場合には、更にその効果を大きくすることが出来る。
【００３８】
１個の受け金具を用いて、左右両側の壁パネルを支持することが出来るので、建物全体に使用される受け金具を少なくすることが出来、重量、材料コスト及び取付の手間を半減することが出来る。また、受け金具の起立片が壁パネルと下地材との隙間に介在されるので、この隙間内に挿入される隙間充填ライナーを不必要とすることが出来る。
【００３９】
受け金具の水平片で壁パネルを支える際に、中央部が欠けた水平片を使用するか或いはプレート状ライナーを使用して、パネル内部に補強筋の存在しないパネル隅角部を除く部分、即ち壁パネルの内側で支え、この隅角部と受け金具とを無接触にすることによって、地震時等に壁パネルが欠けたり、傷が入ることを防止出来る。受け金具の取付精度が悪い場合にも壁パネルの隅角部に亀裂が発生したり、欠け落ちることを防止出来る。
【図面の簡単な説明】
【図１】図１（Ａ），（Ｂ）は夫々本発明の取付構造の要部を示す説明図である。
【図２】図２（Ａ），（Ｂ）は夫々図１の取付構造に使用される受け金具の斜視図である。
【図３】図２（Ｂ）の受け金具を使用した取付構造の要部を示す正面図である。
【図４】本発明に使用される受け金具の水平片上にライナーを載置した場合の取付構造の要部の説明図である。
【図５】図５（Ａ），（Ｂ）は夫々受け金具とライナーとを示す斜視説明図である。図５（Ｃ）は受け金具の起立片の中央部を下方に伸ばすと共に、この起立片に２個の穴を上下方向に設けた状態の斜視説明図である。
【図６】本発明に使用される受け金具をボルトを介して下地材に取付ける構造の要部の横断面説明図である。
【図７】その図６の構成の正面図である。
【図８】本発明に使用される受け金具で壁パネルを支持している状態を示す縦断面説明図である。
【図９】図９（Ａ），（Ｂ）は夫々従来の第１例の壁パネルの取付構造を示す縦断面或いは横断面の説明図である。
【図１０】従来の第２例の壁パネルの取付構造を示す横断面説明図である。
【符号の説明】
１，２          受け金具
１ａ，２ａ      水平片
１ｂ，２ｂ      起立片
３              壁パネル
４              穴
５              躯体柱
６              ピースアングル材
７              下地材
８              ライナー
９              受け金具
９ａ            水平片
９ｂ            起立片
９ｃ            切断された部分
１０            ボルト
１１            ナット
１２            隙間充填ライナー
１３            鉄筋
１４            Ｏボルト
１５            プレート
１６            ナット
５１            アングル状下地材
５２            Ｈ型柱
５３            ピースアングル
５４            壁パネル
５５            受け金具
５６            フックボルト
５７            柱
５８            断面コ字形の金具
５９            アングル状下地材
６０            重量受け金具
６１            壁パネル
【図１】
0004117962.tif 000002
【図２】
0004117962.tif 000003
【図３】
0004117962.tif 000004
【図４】
0004117962.tif 000005
【図５】
0004117962.tif 000006
【図６】
0004117962.tif 000007
【図７】
0004117962.tif 000008
【図８】
0004117962.tif 000009
【図９】
0004117962.tif 000010
【図１０】
0004117962.tif 000011